(57)【要約】【課題】操作表示部を回動させる際に、ＵＳＢメモリやＵＳＢケーブルが邪魔になることを防止することができる画像形成装置を提供する。【解決手段】画像形成装置Ａにおいて、装置本体２０の前面２０ｂに設けられ、装置本体２０よりも装置本体２０の側方に出っ張って設けられた操作表示部６１と、装置本体２０における操作表示部６１と近接する側の側面である右側面２０ａに設けられたＵＳＢポート９０であって、装置本体２０の前後方向に関して、表示部６１ａの水平面に対する角度が最も小さい位置に位置する操作表示部６１の後端部よりも後方に配置されたＵＳＢポート９０と、を備える。【選択図】図５
2020015205.tif 000002
【特許請求の範囲】
【請求項１】
情報を表示する表示部と、画像形成に関する設定を行う操作部を備え、画像形成装置の装置本体の前面に設けられた回動可能な操作表示部であって、前記装置本体よりも前記装置本体の側方に出っ張って設けられた操作表示部と、
前記装置本体における前記操作表示部と近接する側の側面に設けられたＵＳＢポートであって、前記装置本体の前後方向に関して、前記表示部の水平面に対する角度が最も小さい位置に位置する前記操作表示部の後端部よりも後方に配置されたＵＳＢポートと、
を備えることを特徴とする画像形成装置。
【請求項２】
画像形成装置への電力供給のオン、オフを切り替える電源スイッチを備え、
前記電源スイッチは、前記前後方向に関して、前記側面における前記操作表示部の回動軸と前記ＵＳＢポートの間の位置に配置されていることを特徴とする請求項１に記載の画像形成装置。
【請求項３】
前記操作表示部の鉛直方向と前記前後方向に直交する方向の端面であり、前記装置本体の側方に出っ張っている側の端面には、操作ボタンが設けられていることを特徴とする請求項１又は２に記載の画像形成装置。
【発明の詳細な説明】
【技術分野】
【０００１】
本発明は、電子写真複写機、電子写真プリンタ、インクジェットプリンタなどの画像形成装置に関する。
【背景技術】
【０００２】
近年、画像形成装置においては、ＵＳＢケーブルを介して接続されている携帯端末や、ＵＳＢメモリに保存された画像を形成することや、画像形成装置で読み取られた画像をＵＳＢメモリに保存する構成が知られている。
【０００３】
また特許文献１では、画像形成装置の装置本体の正面部に操作表示部を設け、側面部にＵＳＢメモリ等の外部メモリを挿入する挿入口を設ける構成が記載されている。
【先行技術文献】
【特許文献】
【０００４】
【特許文献１】特開２０１７−２０５８７５号公報
【発明の概要】
【発明が解決しようとする課題】
【０００５】
画像形成装置においては、操作表示部の操作性や視認性を向上させるために、操作表示部を回動可能にする構成が広く知られている。ここで特許文献１に記載の構成のように、操作表示部の近くにＵＳＢポートがある場合、操作表示部を回動させる際に、ＵＳＢポートに挿入されたＵＳＢメモリやＵＳＢケーブルがユーザの手が当たって、操作表示部の回動動作の邪魔になるおそれがある。
【０００６】
そこで本発明はこのような現状に鑑みてなされたものであり、操作表示部を回動させる際に、ＵＳＢメモリやＵＳＢケーブルが邪魔になることを防止することができる画像形成装置を提供することを目的とする。
【課題を解決するための手段】
【０００７】
上記目的を達成するための本発明に係る画像形成装置の代表的な構成は、情報を表示する表示部と、画像形成に関する設定を行う操作部を備え、画像形成装置の装置本体の前面に設けられた回動可能な操作表示部であって、前記装置本体よりも前記装置本体の側方に出っ張って設けられた操作表示部と、前記装置本体における前記操作表示部と近接する側の側面に設けられたＵＳＢポートであって、前記装置本体の前後方向に関して、前記表示部の水平面に対する角度が最も小さい位置に位置する前記操作表示部の後端部よりも後方に配置されたＵＳＢポートと、を備えることを特徴とする。
【発明の効果】
【０００８】
本発明によれば、画像形成装置において、操作表示部を回動させる際に、ＵＳＢメモリやＵＳＢケーブルが邪魔になることを防止することができる。
【図面の簡単な説明】
【０００９】
【図１】画像形成装置の斜視概略図である。
【図２】画像形成装置の正面概略図である。
【図３】画像形成装置の断面概略図である。
【図４】操作表示部の正面図と右側面図である。
【図５】画像形成装置の右側面の一部を示す図である。
【図６】画像形成装置の斜視概略図である。
【図７】画像形成装置の正面概略図である。
【図８】画像形成装置の右側面の一部を示す図である。
【発明を実施するための形態】
【００１０】
（第１実施形態）
＜画像形成装置＞
以下、本発明の第１実施形態に係る画像形成装置の全体構成を画像形成時の動作とともに図面を参照しながら説明する。なお、以下に記載されている構成部品の寸法、材質、形状、その相対配置などは、特に特定的な記載がない限りは、この発明の範囲をそれらのみに限定する趣旨のものではない。
【００１１】
本実施形態に係る画像形成装置は、イエローＹ、マゼンダＭ、シアンＣ、ブラックＫの４色のトナーを中間転写ベルトに転写した後、シートに画像を転写して画像を形成する電子写真方式の画像形成装置である。なお、以下の説明において、上記各色のトナーを使用する部材には添え字としてＹ、Ｍ、Ｃ、Ｋを付するものの、各部材の構成や動作は使用するトナーの色が異なることを除いて実質的に同じであるため、区別を要する場合以外は添え字を適宜省略する。
【００１２】
図１、図２は、画像形成装置Ａの斜視概略図と正面概略図である。図３は、画像形成装置Ａの断面概略図である。なお、図３は、後述する画像読取装置２１と操作表示部６１を省略した図となっている。
【００１３】
図１〜図３に示す様に、画像形成装置Ａは、シートにトナー像を転写して画像を形成する画像形成部５０と、画像形成部５０に向けてシートを供給するシート給送部５１と、シートにトナー像を定着させる定着部である定着装置１５を備える。また画像形成装置Ａの装置本体２０の上部には、原稿の画像を読み取る画像読取装置２１が設けられている。
【００１４】
画像形成部５０は、プロセスカートリッジ４（４Ｙ、４Ｍ、４Ｃ、４Ｋ）、一次転写ローラ５（５Ｙ、５Ｍ、５Ｃ、５Ｋ）、レーザスキャナユニット８、中間転写ユニット７を備える。プロセスカートリッジ４は、感光体ドラム１（１Ｙ、１Ｍ、１Ｃ、１Ｋ）、感光体ドラム１表面を帯電させる帯電ローラ２（２Ｙ、２Ｍ、２Ｃ、２Ｋ）、現像装置３（３Ｙ、３Ｍ、３Ｃ、３Ｋ）を備える。
【００１５】
中間転写ユニット７は、中間転写ベルト６、二次転写ローラ９、二次転写対向ローラ１２、アイドラローラ１９、テンションローラ１８などを備える。中間転写ベルト６は、二次転写対向ローラ１２、アイドラローラ１９、テンションローラ１８に張架された無端状のベルトであり、二次転写対向ローラ１２が駆動源の駆動力により回転し、その回転に従動して周回移動する。
【００１６】
画像読取装置２１は、フラットベッドスキャナ２２と自動原稿給送装置２３を備える。フラットベッドスキャナ２２は、不図示のプラテンに載置された原稿の画像を光学的に読み取って画像データに変換する。自動原稿給送装置２３は、原稿トレイ２４に積載された原稿を自動的に搬送して画像を読み取る。自動原稿給送装置２３は、回動自在に支持されており、自動原稿給送装置２３を回動させて上方に開放することで不図示のプラテンにアクセス可能となる。
【００１７】
また画像形成装置Ａの装置本体２０の前面２０ｂには、情報を表示する表示部６１ａと、画像形成枚数等の画像形成に関する設定を行う操作部６１ｂを備える操作表示部６１が設けられている。操作表示部６１は、照明の反射やユーザの身長差等に対応して視認性を確保するために、画像形成装置Ａの装置本体に対して回動可能に支持されている。なお、画像形成装置Ａを正面から見たとき、操作表示部６１は右側に配置され、画像が形成されたシートＳを排出する排出部１７は左側に配置される。
【００１８】
また操作表示部６１は、装置本体２０よりも装置本体２０の側方に出っ張って設けられている。具体的には、操作表示部６１の右側面は、装置本体２０の右側面２０ａよりも、図２に示す長さＬ１の分、装置本体２０の側方に出っ張っている。なお、本実施形態では、Ｌ１は１０ｍｍ〜２０ｍｍ程度である。また操作表示部６１の右側面は、鉛直方向と装置本体２０の前後方向に直交する方向の端面であり、装置本体２０の側方に出っ張っている側の端面である。
【００１９】
次に、画像形成動作について説明する。まず不図示の制御部が画像形成ジョブ信号を受信すると、給送ローラ１１、搬送ローラ１３、レジストローラ１４によってシートカセット８１に積載収納されたシートＳが、二次転写ローラ９と二次転写対向ローラ１２から形成される二次転写部に送り込まれる。なお、シートカセット８１は、把手部１０を把持して押し引きすることで画像形成装置Ａ本体に着脱可能に構成されている。
【００２０】
一方、画像形成部５０においては、まず帯電ローラ２により感光体ドラム１表面が一様に帯電させられる。その後、不図示の外部機器等から送信された画像データに応じて露光部であるレーザスキャナユニット８が各色の感光体ドラム１表面に不図示の光源からレーザ光を照射し、感光体ドラム１表面に静電潜像を形成する。
【００２１】
その後、現像装置３により感光体ドラム１表面に形成された静電潜像に各色のトナーを付着させ、感光体ドラム１表面にトナー像を形成する。感光体ドラム１表面に形成されたトナー像は、一次転写ローラ５にバイアスが印加されることで、中間転写ベルト６にそれぞれ一次転写される。これにより中間転写ベルト６表面にフルカラーのトナー像が形成される。
【００２２】
その後、中間転写ベルト６が周回移動することでトナー像が二次転写部に送られる。そして二次転写部において二次転写ローラ９にバイアスが印加されることで、中間転写ベルト６上のトナー像がシートＳに転写される。
【００２３】
次に、トナー像が転写されたシートＳは、定着装置１５において加熱、加圧処理が施され、これによりシートＳ上のトナー像がシートＳに定着される。その後、トナー像が定着されたシートＳは、排出ローラ１６によって排出部１７に排出される。
【００２４】
＜操作表示部＞
次に、操作表示部６１の構成について説明する。
【００２５】
図４は、操作表示部６１の正面図と右側面図である。図４に示す様に、操作表示部６１は、操作画面などの各種情報を表示し、ユーザの操作を受け付けるタッチパネル式の液晶ディスプレイである表示部６１ａと、操作部６１ｂとして次に説明する各種のキーを備える。
【００２６】
まず操作表示部６１の表示部６１ａが配置された面に設けられたキーについて説明する。テンキー６１ｂ１は、画像形成枚数などの数字入力を行う。設定登録キー６１ｂ２は、設定登録の表示非表示を切り替える。節電キー６１ｂ３は、消費電力の低いモードへの移行又は復帰に使用される。クリアキー６１ｂ４は、入力した数字や文字をクリアする。スタートキー６１ｂ５は、各ジョブの動作を開始させる。ストップキー６１ｂ６は、スタートキー６１ｂ５で開始したジョブを停止させる。リセットキー６１ｂ７は、各ファンクション内で設定をオールリセットする。認証キー６１ｂ８は、認証の実行と認証状態からのログアウトを行う。
【００２７】
また操作表示部６１の右側面に設けられたキー（操作ボタン）について説明する。カウンター確認キー６１ｂ９は、カウンターの状況を表示部６１ａに表示させる。輝度調節キー６１ｂ１０は、表示部６１ａの画面の明るさを調整する。音量調節キー６１ｂ１１は、音量調整関連の項目をまとめた画面を表示部６１ａに表示させる。
【００２８】
また操作表示部６１の表示部６１ａが配置された面には、各種のＬＥＤ６１ｃ（６１ｃ１〜６１ｃ３）が設けられている。実行メモリＬＥＤ６１ｃ１は、画像形成ジョブの動作中に点滅し、不図示のメモリ内に待機中の文書がある場合に点灯する。エラーＬＥＤ６１ｃ２は、エラー時に点灯又は点滅する。主電源ＬＥＤ６１ｃ３は、画像形成装置Ａの主電源がオンの時に点灯する。
【００２９】
＜操作表示部とＵＳＢポートの配置＞
次に、操作表示部６１とＵＳＢポート９０の配置について説明する。
【００３０】
図５は、画像形成装置Ａの右側面の一部を示す図である。図５に示す様に、操作表示部６１は、回動軸６１ｄを中心に回動する。なお、図５において、実線の操作表示部６１は、操作表示部６１の表示部６１ａの水平面に対する角度が最も小さい位置である上向き位置に位置している。二点鎖線の操作表示部６１は、操作表示部６１の表示部６１ａの水平面に対する角度が最も大きい位置であり、上向き位置から約５０度回動した位置である前向き位置に位置している。つまり操作表示部６１は、前向き位置と上向き位置との間を回動軸６１ｄを中心に約５０度回動する。
【００３１】
また画像形成装置Ａの装置本体２０における操作表示部６１と近接する側の側面である右側面２０ａには、ＵＳＢメモリやＵＳＢケーブルなどを挿入するＵＳＢポート９０が設けられている。また右側面２０ａにおいて、操作表示部６１の回動軸６１ｄよりも鉛直方向の下方には、画像形成装置Ａへの電力供給のオン、オフを切り替える電源スイッチ７１が設けられている。
【００３２】
電源スイッチ７１は、半透明のカバー７１ｂと、カバー７１ｂの内部に配置されたシーソー型のスイッチ本体７１ａから構成されている。このように半透明のカバー７１ｂを設けることで、スイッチ本体７１ａのオン、オフ状態を視認しやすくするとともに、スイッチ本体７１ａを誤って押すことを防止できる。なお、電源スイッチ７１は、装置本体２０の前後方向（矢印Ｘ方向）に関して、操作表示部６１の回動軸６１ｄとＵＳＢポート９０の間の位置に配置されている。
【００３３】
またユーザは、ＵＳＢポート９０にＵＳＢメモリを挿入することで、ＵＳＢメモリに記録された文書や画像データなどを、パーソナルコンピュータを介することなく、操作表示部６１の操作によって画像出力することができる。またＵＳＢポート９０にＵＳＢケーブルの一端を接続することで、他端に接続された外部機器とのデータ通信を行うことができる。
【００３４】
ここでユーザが操作表示部６１を回動させる場合、操作部６１ｂの各種キーを意図せず押してしまうことを防止するため、操作表示部６１の側面のキーが無い部分を把持することが多いと考えられる。また本実施形態の構成のように、操作表示部６１の右側面が装置本体２０に対して側方に出っ張る場合、出っ張った右側面を把持することが多いと考えられる。さらに操作表示部６１の回動軸６１ｄ付近を把持すると力がかかりにくいため、回動軸６１ｄの手前側若しくは奥側を把持することが多いと考えられる。つまりユーザは、操作表示部６１を回動させる際に、操作表示部６１の右側面のうち、回動軸６１ｄの手前側若しくは奥側を把持することが多いと考えられる。
【００３５】
このように操作表示部６１を回動させる際に、操作表示部６１の右側面のうち、回動軸６１ｄの手前側や奥側を把持する場合、ＵＳＢポート９０の配置によっては、ＵＳＢメモリやＵＳＢケーブルなどがユーザの手が当たって回動動作の邪魔になるおそれがある。
【００３６】
そこで本実施形態では、ＵＳＢポート９０を、装置本体２０の右側面２０ａにおいて、装置本体２０の前後方向に関して、上向き位置に位置する操作表示部６１の後端部よりも後方に配置している。つまりＵＳＢポート９０は、装置本体２０の前後方向における操作表示部６１の後端部から鉛直下方に伸ばした仮想線Ｖよりも後方に配置される。このようにＵＳＢポート９０を配置することで、操作表示部６１を回動させる際に、ＵＳＢポート９０に挿入されたＵＳＢメモリやＵＳＢケーブルがユーザの手に当たって回動動作の邪魔になることを防止することができる。
【００３７】
またＵＳＢポート９０は、電源スイッチ７１に対して鉛直方向の上方に配置されており、装置本体２０の前後方向の後方に配置されている。このようにＵＳＢポート９０を、電源スイッチ７１に対して、装置本体２０の前後方向、及び、鉛直方向の重ならない位置に配置する。これによりＵＳＢポート９０に挿入されたＵＳＢメモリやＵＳＢケーブルが電源スイッチ７１の操作の邪魔になることを防止することができる。
【００３８】
また装置本体２０の前後方向において、操作表示部６１の回動軸６１ｄから電源スイッチ７１までの距離をＬ２、電源スイッチ７１からＵＳＢポート９０までの距離をＬ３と定義する。このとき、Ｌ２、Ｌ３を小さくすることで電源スイッチ７１やＵＳＢポート９０を画像形成装置Ａの正面から視認しやすくなり、またユーザの操作範囲が狭まることで操作性もよくなる。これに対して、Ｌ２、Ｌ３を大きくすることで、操作表示部６１を回動させる際に、電源スイッチ７１を誤操作する可能性や、ＵＳＢポート９０に挿入されたＵＳＢメモリやＵＳＢポートが邪魔になる可能性が低くなる。そこで本実施形態では、上記の利点のバランスを考えて、Ｌ２：Ｌ３≒１：２．２としている。
【００３９】
（第２実施形態）
次に、本発明の第２実施形態に係る画像形成装置の構成について説明する。上記第１実施形態と説明の重複する部分については、同一の符号を付して説明を省略する。
【００４０】
図６、図７は、本実施形態に係る画像形成装置Ａの斜視概略図と正面概略図である。図６、図７に示す様に、本実施形態では、第１実施形態の構成に対して、画像形成装置Ａの下部に外付けのシート給送装置９１を装着し、装置本体２０の排出部１７付近に外付けのフィニッシャ９２を装着した構成である。また第１実施形態の構成に対して、装置本体２０の右側面２０ａの電源スイッチ７１やＵＳＢポート９０の配置を少し変えている。その他の構成は、第１実施形態の構成と同様である。
【００４１】
本実施形態の操作表示部６１も、第１実施形態と同様に、装置本体２０よりも装置本体２０の側方に出っ張って設けられている。つまり操作表示部６１の右側面は、装置本体２０の右側面２０ａよりも、図７に示す長さＬ１（本実施形態では１０ｍｍ〜２０ｍｍ程度）分、装置本体２０の側方に出っ張っている。なお、画像読取装置２１、装置本体２０、シート給送装置９１の右側面は、鉛直方向から見たときにほぼ揃っている。
【００４２】
シート給送装置９１は、シート給送部５１と同様の部材を備え、シートカセット９５に積載収容されたシートＳを給送ローラ（不図示）、搬送ローラ（不図示）によって画像形成部５０に向けて送り出す。またユーザは、シートカセット９５の下部の扉９６を開けて、内部に任意の物を収納することができる。またシート給送装置９１の底面は、転倒防止のために上面よりも面積が大きくなっており、さらに車輪（不図示）とストッパ（不図示）が取り付けられている。車輪は、シート給送装置９１が装着された画像形成装置Ａを移動させる。ストッパは、ネジ状の軸を回転させて設置面に接触させて、車輪を設置面から浮かせることで車輪をロックする。
【００４３】
フィニッシャ９２は、画像が形成されたシートＳをシフトソートやステイプルする。またフィニッシャ９２は、二つの排出トレイ９９ａ、９９ｂを備え、例えばコピー出力、プリント出力、ＦＡＸ出力に応じてシートＳの排出先をいずれかに選択することができる。
【００４４】
図８は、画像形成装置Ａの右側面の一部を示す図である。なお、図８において、実線の操作表示部６１は、操作表示部６１の表示部６１ａの水平面に対する角度が最も小さい位置である上向き位置に位置している。二点鎖線の操作表示部６１は、操作表示部６１の表示部６１ａの水平面に対する角度が最も大きい位置であり、上向き位置から約５０度回動した位置である前向き位置に位置している。つまり操作表示部６１は、前向き位置と上向き位置との間を回動軸６１ｄを中心に約５０度回動する。
【００４５】
図８に示す様に、画像形成装置Ａの装置本体２０における操作表示部６１と近接する側の側面である右側面２０ａには、ＵＳＢポート９０と電源スイッチ７１が設けられている。
【００４６】
電源スイッチ７１は、装置本体２０の前後方向（矢印Ｘ方向）において操作表示部６１の回動軸６１ｄと同じ位置で、鉛直方向において操作表示部６１の回動軸６１ｄの下方に配置されている。
【００４７】
ＵＳＢポート９０は、装置本体２０の前後方向において電源スイッチ７１よりも後方の位置で、鉛直方向において操作表示部６１の回動軸６１ｄと同じ位置に配置されている。
【００４８】
このようにＵＳＢポート９０を、電源スイッチ７１に対して、装置本体２０の前後方向、及び、鉛直方向の重ならない位置に配置する。これによりＵＳＢポート９０に挿入されたＵＳＢメモリやＵＳＢケーブルが電源スイッチ７１の操作の邪魔になることを防止することができる。
【符号の説明】
【００４９】
２０…装置本体（画像形成装置の装置本体）
２０ａ…前面（装置本体の前面）
２０ｂ…右側面（装置本体における操作表示部と近接する側の側面）
６１…操作表示部
６１ａ…表示部
６１ｂ…操作部
７１…電源スイッチ
９０…ＵＳＢポート
Ａ…画像形成装置
【図１】
2020015205.tif 000003
【図２】
2020015205.tif 000004
【図３】
2020015205.tif 000005
【図４】
2020015205.tif 000006
【図５】
2020015205.tif 000007
【図６】
2020015205.tif 000008
【図７】
2020015205.tif 000009
【図８】
2020015205.tif 000010